(57)【要約】【課題】容易に盗撮の抑止と盗撮による被害を軽減できる撮像装置を提供する。【解決手段】撮影されることを制限したい被写体２００を、例えば、少なくとも可視光の特定の波長の光において、右旋、左旋いずれかの偏光の光のみを発する照明装置１５０で照らして、特定の領域を人為的に光の偏光が右旋、左旋の何れか一方に偏った環境とすることで、撮影制限領域を定義する。そして、ファインダー系や撮像系に少なくとも特定波長の透過光について右旋偏光だけを透過させる右旋偏光透過領域１００ａおよび左旋偏光だけを透過させる左旋偏光透過領域１００ｂを備えた偏光板を設けることにより、被写体は、光の偏光が右旋、左旋の何れか一方に偏った環境下にある場合、肉眼で目視した被写体の像とフアインダー６を介した被写体の像、或いは撮像装置２１で撮影された像の間に、色調の差異の発生、或いは像の一部の欠落が生じるようにする。【選択図】図１
2007127683.tif 000002
【特許請求の範囲】
【請求項１】
被写体を撮影するためのレンズ光学系と、
前記レンズ光学系の透過光を電気信号に変換する撮像素子と、
前記被写体に照準を定める被写体照準設定手段と、
前記レンズ光学系の前記透過光を前記被写体照準設定手段と前記撮像素子とに分岐する透過光分岐手段と、
前記被写体から前記レンズ光学系に入射して透過する可視光のうち、少なくとも特定波長の透過光について右旋偏光だけを透過させる右旋偏光透過領域および左旋偏光だけを透過させる左旋偏光透過領域を備えた偏光板と、
を具備し、
前記偏光板は、前記レンズ光学系と前記透過光分岐手段との間、前記透過光分岐手段と前記被写体照準設定手段との間、および前記透過光分岐手段と前記撮像素子との間のうちの少なくとも何れか一方に設けられることを特徴とする、撮像装置。
【請求項２】
前記撮像装置は、さらに前記偏光板の透過光の可視光領域の波長透過特性を補償する色調補正フィルタを具備することを特徴とする、請求項１に記載の撮像装置。
【請求項３】
前記右旋偏光透過領域および前記左旋偏光透過領域は、前記偏光板の中心線で分割されるようにして備わることを特徴とする、請求項１または２に記載の撮像装置。
【請求項４】
前記偏光板の中心部に前記右旋偏光透過領域および前記左旋偏光透過領域の何れか一方が備わり、前記中心部の外縁部に前記右旋偏光透過領域および前記左旋偏光透過領域の何れか他方が備わることを特徴とする、請求項１または２に記載の撮像装置。
【請求項５】
前記偏光板が複数備わる場合に、これら偏光板の偏光により透過、非透過が生じる可視光の波長が異なることを特徴とする、請求項１〜４の何れかに記載の撮影装置。
【請求項６】
被写体から撮像装置に入射する光の内、少なくとも特定の波長の可視光を、右旋偏光あるいは左旋偏光の何れか一方に偏らせる手段と、
前記請求項１〜５に記載の撮像装置で、構成される盗撮防止システム。
【請求項７】
被写体から撮像装置に入射する光の内、少なくとも特定の波長の可視光を、右旋偏光あるいは左旋偏光の何れか一方に偏らせる手段が、
前記被写体に達するまでの間に、前記可視光のうち、少なくとも特定の波長の光について、右旋偏光あるいは左旋偏光の何れか一方を照射するように調整する偏光調整手段を備えた照明装置である前記請求項６の盗撮防止システム。
【請求項８】
前記請求項１〜５に記載の撮像装置を搭載したことを特徴とする情報端末装置。
【発明の詳細な説明】
【技術分野】
【０００１】
本発明は、撮像装置、斯かる撮像装置を含む盗撮防止システム、および斯かる撮像装置を搭載した情報端末装置に関する。
【背景技術】
【０００２】
デジタルカメラ等の撮像装置の小型化に伴い、最近では、デジタルカメラは携帯電話や携帯情報端末等の端末装置にも搭載されるようになり、簡易な撮影手段として利用されている。かかる撮像装置の小型化は、利便性を向上させた反面、撮像装置が小型軽量であることを悪用した人、物、および映像等に対する盗撮や、書籍や雑誌等に記載された情報の窃盗や、コンピュータディスプレイの画面を撮影してディスプレイに表示された情報の窃盗等の問題を引き起こしている。
【０００３】
このような盗撮等の諸問題に対して、撮影行為の発生の告知を可能とする第１の盗撮対策として、特許文献１には、本来、撮影者自身に対するデジタルカメラの動作確認用としてデジタルカメラに付与された撮影時に発生する動作告知音となる擬似的なシャッター音を被写体等の撮影者以外の者にも分かるように拡張する手段を備える端末装置が開示されている。
【０００４】
また、撮影行為の発生可能性の告知する第２の盗撮対策として、特許文献２には、デジタルカメラが撮影可能な状態にあることをＬＥＤ等の発光素子を発光、点滅させる盗撮検知装置が開示されている。
【０００５】
また、第３の盗撮対策として、カメラの角度による撮影機能の制限を加える盗撮防止装置が特許文献３に開示され、かかる装置は、デジタルカメラの仰角、俯角等の上下角が一定の角度より大きくなると、撮影機能を停止する機能をデジタルカメラ本体に備え、このデジタルカメラを情報機器に組み込まれている。
【０００６】
さらに、第４の盗撮対策として、撮影機能制限信号による撮影制限を設けるために、図１８に示すように、撮影機能制限信号を送信、或いは撮影機能制限信号発生器１７５からの撮影機能制限信号を受信した場合には、撮影機能を停止・制限する機能１７２を組み込んだデジタルカメラ２０１や、かかるデジタルカメラ２０１を搭載した携帯電話２０２、およびビデオカメラ２０３等に対して、図１９に示すように、人物等の被写体２００やかかる被写体２００の近傍に撮影機能制限信号を発信する装置１７５を配置して、撮影機能を制限する環境を作る盗撮防止システムが特許文献４に開示され、映画館や劇場等での盗撮防止策として検討されている。
【０００７】
しかしながら、上述の第１および第２の盗撮対策の場合には、盗撮行為の発生、盗撮発生の可能性、および盗撮をしようとする者の存在を、被写体を含む周囲に報知することによって盗撮を抑止する効果を有するものの、盗撮行為自体を阻止できない。
【０００８】
また、上述の第３の盗撮対策の場合、大きな俯角、或いは仰角で撮影する盗撮行為については盗撮を阻止できるが、書籍や雑誌等を購入した正規利用者にとっても、デジタルカメラを使った書籍や雑誌等の情報の利用がしづらくなる。また、デジタルカメラ自体の撮影手段としての使い勝手が著しく低下するという問題点があった。
【０００９】
さらに、上述の第４の盗撮対策は、撮影機能制限信号発生器を設備として備え、かつ、デジタルカメラ、或いはデジタルカメラを搭載した携帯電話等の情報機器に撮影機能制限信号の受信、検出機能を組み込むことによって、上記第１〜第３の盗撮対策のようにデジタルカメラの撮影手段としての使い勝手を低下させることなく、盗撮行為自体を阻止できる。しかしながら、撮影機能制限信号の効果範囲の設定が難しいので、撮影機能制限信号を不意に発信した場合、漏洩した撮影機能制限信号が周囲に悪影響を与える可能性が大きい。このため、撮影機能制限信号の効果範囲の設定と、撮影機能制限信号の漏洩防止対策が比較的容易な映画館や劇場等の密閉型の場所を除いて、町の書店やオフィス等の非密閉型の公共の場所で使用することは難しいという問題を有していた。
【００１０】
上述の各盗撮対策に生ずる諸問題を解決する第５の盗撮対策として、特許文献５には、異なる波長の複数の単色光（赤、緑、青）を発する光源と、かかる光源を制御して複数の単色光を時分割に周期的に発することによってこれら単色光を加色混合させる光源制御手段とを備える照明装置が開示されている。この照明装置では、人の眼には、図２０のようにＲ（赤）３１、Ｇ（緑）３２、Ｂ（青）３３の３種類の光源を同時点灯して作られた白色照明に見えるが、撮像素子２には、これら３種類の光源３１、３２、３３が、順次時分割点灯して、図２１（ａ）、図２１（ｂ）、図２１（ｃ）の状態を繰り返して照射されているように映る擬似白色照明を盗撮の防止対象の照明に用いる。
【００１１】
上述の擬似白色照明で照明された被写体２００を図２２に示すようにデジタルカメラ２０４等で撮影した場合、３種類の光源の時分割点灯の影響で、図２３で示すような目視した被写体２００と、図２４（ａ）、図２４（ｂ）、図２４（ｃ）で示すように、上述の各光源３１、３２、３３の照射下での盗撮で得られた被写体２００の画像の間に色調の違いが生じるので、盗撮者は所望の画像を得ることができない。換言すると、人の眼と撮影機器の撮像素子２の光に対する反応速度と画像認識の仕方の違いを利用した擬似白色照明によって、盗撮画像の色再現を防止して、照明対象に対する盗撮を妨害できる。
【００１２】
すなわち、第５の盗撮対策は、上述の第４の盗撮対策と同様に、上述した第１〜３の盗撮対策のような問題点を持たない。また、第４の盗撮対策のように撮影機能制限信号を用いずに、人の眼には白色照明に見えるが、撮像素子には、Ｒ（赤）、Ｇ（緑）、Ｂ（青）の３種類の光源が時分割点灯していると認識される照明を盗撮の防止したい対象の照明に使用すると言う簡易な手段で、撮影制限領域を設定できる為、かかる第４の盗撮対策の撮影機能制限信号に起因する問題が発生しない。さらに、第４の盗撮対策のように撮影機器に、撮影機能制限信号の受信装置、検出装置を組み込む必要がないので撮影機器をコンパクトにできると言う長所を有する。
【特許文献１】特開２００４−１６３５６３号公報
【特許文献２】特開２００１−１８６５４６号公報
【特許文献３】特開２００４−３４３４３４号公報
【特許文献４】特開２００４−１５３３２４号公報
【特許文献５】特開２００４−１１１２１３号公報
【発明の開示】
【発明が解決しようとする課題】
【００１３】
しかしながら、上述の第５の盗撮対策には、人間と同様にして撮像素子に入力した画像情報を時間積分する時間積分型の画像処理を行なうタイプの撮像装置に対しては、肉眼による目視画像と、撮影画像に差異が発生しない為、盗撮抑制の効果がなくなってしまう。
【００１４】
また、Ｒ（赤）、Ｇ（緑）、Ｂ（青）の３種類の光源を、時分割点灯させた擬似白色光源の照明下の物体の観察において、観察者の視線移動や瞬き、或いは物体の移動等があった場合には、観察者の眼に入力する観察対象からの光の色成分に偏りや欠落が起こり、物体の色調が変化して見える「カラーブレイク」と呼ばれる現象が発生する。
【００１５】
さらに、撮影制限領域の設定に、複数の前記擬似白色照明を使用する場合、全ての照明でＲ（赤）、Ｇ（緑）、Ｂ（青）の３種類の光源の色毎の発光タイミングを同期させて、照明全体としてＲ（赤）、Ｇ（緑）、Ｂ（青）の３種類の光源が同時点灯した状態が発生しないようにする同期システムが必要とするので、かかるシステムを設けるのに手間を要すると言う問題点が存在した。
【００１６】
そこで、本発明は、従来の盗撮対策が有する上記問題点に鑑みてなされたものであり、本発明の目的は、観察対象の撮像中の色調変化（カラーブレイク）を防止した上で容易に盗撮の抑止と盗撮による被害を軽減することの可能な、新規かつ改良された撮像装置、斯かる撮像装置を含む盗撮防止システム、および斯かる撮像装置を搭載した情報端末装置を提供することである。
【課題を解決するための手段】
【００１７】
上記課題を解決するために、本発明のある観点によれば、被写体を撮影するためのレンズ光学系と、レンズ光学系の透過光を電気信号に変換する撮像素子と、被写体に照準を定める被写体照準設定手段と、レンズ光学系の透過光を被写体照準設定手段と撮像素子とに分岐する透過光分岐手段と、被写体からレンズ光学系に入射して透過する可視光のうち、少なくとも特定波長の透過光について右旋偏光だけを透過させる右旋偏光透過領域および左旋偏光だけを透過させる左旋偏光透過領域を備えた偏光板と、を具備し、偏光板は、レンズ光学系と透過光分岐手段との間、透過光分岐手段と被写体照準設定手段との間、および透過光分岐手段と撮像素子との間のうちの少なくとも何れか一方に設けられることを特徴とする、撮像装置が提供される。
【００１８】
このとき、撮像装置は、さらに偏光板の透過光の可視光領域の波長透過特性を補償する色調補正フィルタを具備することとしてもよい。
【００１９】
また、右旋偏光透過領域および左旋偏光透過領域は、偏光板の中心線で分割されるようにして備わることとしてもよく、偏光板の中心部に右旋偏光透過領域および左旋偏光透過領域の何れか一方が備わり、中心部の外縁部に右旋偏光透過領域および左旋偏光透過領域の何れか他方が備わることとしてもよい。
【００２０】
さらに、偏光板が複数備わる場合には、これら偏光板の偏光により透過、非透過が生じる可視光の波長が異なることとしてもよい。
【００２１】
このような構成とすることにより、例えば、偏光板をハーフミラーとファインダーの間に入れた場合は、照明光の可視光領域の偏光の偏りで定義された撮影制限領域に有する被写体を撮影しようとする際に、直接目視した画像とファインダー越しに見た画像の間に、色調等の違いを生じる。また、偏光板をハーフミラーと撮像素子との間に入れた場合は、撮影制限領域に有する被写体を撮影しようとする際に、ファインダー越しに見た被写体の画像と撮影した被写体の画像の色調等が異なるので、盗撮者の意図した画像を得ることができない。さらに、偏光板をレンズ光学系とハーフミラーの間に入れた場合は、撮影制限領域に有する被写体をファインダー越しに見た画像と撮影画像の色調等を一つの偏光板で変化させることができる。
【００２２】
すなわち、ファインダー系、或いは撮像系等に上述の偏光板を備えるという簡単な構成で、撮影制限領域に有する被写体を撮影しようとすると、ファインダーで視認した被写体の色調に変化が生じることや、撮影した画像の色調変化の発生により盗撮者の希望する画質の画像を得られないことにより、盗撮者の盗撮の意欲を低減させることができる。
【００２３】
また、色調補正フィルタを具備することによって、撮影制限領域外である非撮影制限領域に有する被写体をファインダーで視認した際に、偏光板によって生じる被写体の輝度、および色調の変化を補正できるので、デジタルカメラ自体の撮影手段としての使い勝手が著しく低下する虞もなくなる。
【００２４】
さらに、上述した偏光板を複数設けた際に、これら偏光板の偏光により透過、非透過が生じる可視光の波長が異なるように偏光配置パターンを採用することにより、ファインダーで視認した撮影制限領域の被写体の画像と、撮影した撮影制限領域の被写体の画像の輝度および色調等の違いを大きくすることができるので、上記の盗撮防止効果が顕著に現われ易くなる。
【００２５】
上記課題を解決するために、本発明の別の観点によれば、被写体から撮像装置に入射する光の内、少なくとも特定の波長の可視光を、右旋偏光あるいは左旋偏光の何れか一方に偏らせる手段と、上述の撮像装置で、構成される盗撮防止システムが提供される。
【００２６】
このような構成とすることにより、例えば、被写体照準設定手段からなるファインダー系や撮像素子を含む撮像系に、右旋偏光だけを透過させる部分と左旋偏光だけを透過させる部分を備えた偏光板を具備するという簡単な構成で、被写体が偏光板とカラーフィルタ等から構成される偏光調整手段によって光の偏光の偏りが定義された撮影制限領域に有する場合に、かかる被写体を撮影しようとすると、ファインダーで視認した被写体の色調に変化が生じて盗撮の意欲を低減させるか、撮影した画像の色調に変化が生じて盗撮者の所望の画質の画像を得られない等の効果により、盗撮の抑止と盗撮による被害を軽減できる。
【００２７】
このとき、被写体から撮像装置に入射する光の内、少なくとも特定の波長の可視光を、右旋偏光あるいは左旋偏光の何れか一方に偏らせる手段が、被写体に達するまでの間に、可視光のうち、少なくとも特定の波長の光について、右旋偏光あるいは左旋偏光の何れか一方を照射するように調整する偏光調整手段を備えた照明装置であることとしてもよい。
【００２８】
このような構成とすることにより、撮影制限領域を、右旋、左旋いずれかの偏光の光のみを発する照明装置と、その配置で容易に定義できるため、撮影制限領域の定義が困難であるが故に、映画館、劇場等の密閉型の場所でしか使えなかった従来の撮影制限信号発信方式と異なり、町の書店や、オフィス等の非密閉型の場所でも使用でき、容易に盗撮防止できる環境を構築できる。
【００２９】
上記課題を解決するために、本発明の別の観点によれば、上述の撮像装置を搭載したことを特徴とする、情報端末装置が提供される。
【００３０】
このような構成とすることにより、上述の撮像装置を具備する携帯電話機等の端末装置での盗撮行為を困難にさせると共に盗撮によって盗撮者の所望する画質の画像が得られないようになるので、盗撮の抑止と盗撮による被害を軽減できる。
【発明の効果】
【００３１】
以上説明したように本発明によれば、盗撮者が被写体を撮影しようとすると、ファインダーで視認した被写体の色調変化の発生により盗撮者の盗撮の意欲を削ぐことや、撮影した画像の色調変化の発生により盗撮者の希望する画質の画像を得られなくすることによって、盗撮者の盗撮行為を低減や防止が容易にできる。
【００３２】
また、光の偏光の偏りで定義された撮影制限領域を、右旋、左旋いずれかの偏光の光のみを発する照明装置と、かかる装置の配置で容易に定義できるため、町の書店や、オフィス等の非密閉型の場所でも容易に盗撮を防止できる環境を構築できる。
【発明を実施するための最良の形態】
【００３３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３４】
（第１の実施の形態）
まず、本発明の盗撮防止システムで使用される撮像装置の第１の実施の形態の構成について図面を使用しながら説明する。図１は、本発明の盗撮防止システムの構成、およびかかる盗撮防止システムで使用される撮像装置の第１の実施の形態であるデジタルカメラの構成を示す機能ブロック図である。
【００３５】
本発明の盗撮防止システムは、光源となる照明装置１５０に照射された被写体２００に対して、撮像装置であるデジタルカメラ２１を使用して盗撮行為を防止するためのシステムである。本実施の形態のデジタルカメラ２１は、図１に示すように、被写体２００を撮像する撮像レンズ郡で構成されるレンズ光学系１と、このレンズ光学系１の透過光の光信号を電気信号に変換するＣＣＤ（Charge Coupled Device）等で形成された撮像素子２と、デジタルカメラ２１内に備わる各構成要素の制御等をするＣＰＵ（Central Processing Unit）３と、画像データを格納する画像メモリ４と、撮像した画像を表示する画像表示部５と、被写体２００や撮影範囲を見ながら定める手段となるファインダー６と、撮像操作をする際に押動するシャッターボタン７と、擬似動作音・警告音発生器８と、撮像した画像データを他の機器に表示する際に接続するのに使用する画像データ出力端子９と、レンズ光学系１を透過した光の一部をファインダー６に分岐する為のハーフミラー１０と、かかる分岐した光をファインダー６に導くためのミラー１１と、を備える。本実施の形態では、ハーフミラー１０から分岐した光をファインダー６に導くためのミラー１１とファインダー６との間には、第１の偏光板１００および第１の色調補正用フィルタ１０１がさらに設けられている。なお、第１の偏光板１００および第１の色調補正用フィルタ１０１の機能および動作については後述する。
【００３６】
次に、本実施の形態におけるデジタルカメラ２１の動作について図面を使用しながら説明する。まず、可視光領域で図２（ａ）、図２（ｂ）に示すような発光スペクトルを持つ波長の大きさがＲ１の赤色可視光（以下、可視光Ｒ１と称する）において、偏光が図２（ａ）で示す右旋偏光、或いは、図２（ｂ）で示す左旋偏光に偏った白色光を出力する照明装置１５０で照らすことによって、撮像装置２１での撮像を制限する撮影制限領域を規定した際に、この撮影制限領域にある被写体２００を撮影しようとした図１のデジタルカメラ２１の動作について説明する。なお、照明装置１５０の構成については後述する。
【００３７】
レンズ光学系１に入射した被写体からの光Ｌ０は、レンズ光学系１と撮像素子２の間に配置されたハーフミラー１０によって、ファインダー６へと分岐する光Ｌ１と、ハーフミラー１０を透過し、撮像素子２に到達する光Ｌ２に分けられる。ハーフミラー１０で分岐後の光Ｌ１は、第１の偏光板１００、色調補正用フィルタ１０１を経て、ファインダー６から出力される。撮影者は、図３に示すように、第１の偏光板１００、色調補正用フィルタ１０１を介して、被写体２００をファインダー６で視認する。
【００３８】
第１の偏光板１００は、赤色の可視光Ｒ１について、図３および図４に示すように、右旋偏光だけを透過させる右旋偏光透過領域１００ａと左旋偏光だけを透過させる左旋偏光透過領域１００ｂに画像領域の中心で分割された偏光領域配置パターンを備えている。かかる右旋偏光透過領域１００ａ、および左旋偏光透過領域１００ｂの光透過特性を図５に示す。第１の偏光板１００を透過した可視光は、図５に示すように、波長の大きさがＲ１の赤色の可視光Ｒ１とその近傍において、右旋偏光、或いは左旋偏光だけを透過させるため、透過率が低下する。なお、本実施の形態では、第１の偏光板１００の偏光領域配置パターンは縦方向で分割されているが、かかる分割は横方向等の他の方向での分割でもよい。
【００３９】
また、色調補正用フィルタ１０１の透過特性は、第１の偏光板１００を透過した場合に生じる色バランスの変化を補正する為に、図６に示すように、波長の大きさがＲ１のときにピークとなるような透過特性を備えるので、図５に示す第１の偏光板１００の透過特性と相反する透過特性となる。
【００４０】
撮影者がデジタルカメラ２１のファインダー６を介して、可視光Ｒ１の偏光が図２（ａ）に示すように、右旋偏光に偏った照明装置１５０照らされた領域である撮影制限領域の被写体２００を視認した場合、図７（ａ）に示すように、撮影者には、被写体２００の左半分の領域が左旋偏光に偏った可視光Ｒ１成分を失うので、色調が変化して見える。換言すると、光は反射の際に偏波面が反転するため、撮影制限領域が可視光Ｒ１の右旋偏光に偏った照明で照らされた領域の場合では、被写体２００で反射してデジタルカメラ２１に入射する照明光の可視光Ｒ１の偏光は左旋偏光に偏る。第１の実施の形態の場合、デジタルカメラ２１に入射した光は、２回反射した後、第１の偏光板１００を透過する。
【００４１】
逆に、可視光Ｒ１の偏光が図２（ｂ）に示すように、左旋偏光に偏った照明で照らされた領域である撮影制限領域の被写体２００を視認した場合、図７（ｂ）に示すように、撮影者には、被写体２００の右半分の領域が右旋偏光に偏った可視光Ｒ１成分を失って、色調が変化して見える。すなわち、光は、反射の際に偏波面が反転するため、撮影制限領域が可視光Ｒ１の左旋偏光に偏った照明で照らされた領域の場合、被写体２００で反射してデジタルカメラ２１に入射する照明光の可視光Ｒ１の偏光は右旋偏光に偏る。
【００４２】
以上、詳述したように、本実施の形態のデジタルカメラ２１では、偏光板１００をハーフミラー１０とファインダー６の間に設けているので、撮影制限領域に有する被写体２００を撮影しようとする際に、直接目視した画像とファインダー６を介して見た画像との間に色調等の違いを生じることにより、盗撮者の盗撮意欲が削がれるので、盗撮を低減、防止できる。
【００４３】
なお、可視光Ｒ１について、光の偏光に偏りが存在しない領域である非撮影制限領域に存在する被写体２００を、図１のデジタルカメラ２１のファインダー６を介して見た場合には、図７（ｃ）に示すように、視認した画像領域に色調の変化は生じない。
【００４４】
次に、本発明の盗撮防止システムで使用される撮影制限領域定義用の照明装置１５０の構成について、図面を使用しながら説明する。図８は、本発明の盗撮防止システムで使用される撮影制限領域定義用の照明装置１５０の構成図である。かかる照明装置１５０は、白熱電球等からなる光源１５１と、この光源１５１から発した照明光の反射板となるリフレクタ１５２と、このリフレクタ１５２の開口部を覆うように配置された偏光板１５３と、この偏光板１５３を覆うように配置されたカラーフィルタ１５４とを備えている。
【００４５】
白熱電球１５１から放射された光は、偏光板１５３、カラーフィルタ１５４を経て、出力される。かかる偏光板１５３は、上述した可視光Ｒ１について、右旋偏光の光のみが透過するようになっている。また、色調補正用カラーフィルタ１５４は、光源１５１からの光が偏光板１５３を透過したことによって生じる可視光領域のスペクトルの偏りを補正し、白色光とするような波長透過特性を備えている。このため、照明装置１５０からは、図２（ａ）で示したスペクトルと偏光特性を持った白色光が出力される。
【００４６】
図９に、図８の照明装置１５０を用いた屋内での撮影制限領域の構成例を示す。図９の左側に示される撮影制限領域部分１６１は、図８に示した撮影制限領域定義用の照明装置１５０が照明として配置され、図９の左側に示される撮影制限領域部分１６１は、少なくとも第１の実施の形態のデジタルカメラ２１が可視光Ｒ１については、右旋偏光成分の光に偏った照明が優位となっている。
【００４７】
この状態で、本実施の形態のデジタルカメラ２１を備えた端末装置で撮影制限領域１６１に有する被写体２００を撮影しようとした場合、被写体２００の色調は場所によって大きく異なり、被写体２００を撮影することが困難となる。
【００４８】
一方、図９の右側で示した部分には、照明として光の偏光に偏りの無い通常の照明装置１５５が配置され、本発明の盗撮防止システムで使用される撮影制限領域定義用の照明装置１５０より遠く、光の偏光に偏りの無い照明からの光が優位にある。このため、通常の照明装置１５５からの光が優位となることにより撮影の領域を制限しない非撮影制限領域１６２での被写体２００からの光の偏光の偏りは小さくなっている。このため、図１７の右側に示される非撮影制限領域１６２に有する被写体は、本実施の形態のデジタルカメラ２１を備えた端末装置で撮影可能となる。換言すると、光源から放射される光に占める右旋偏光、左旋偏光の比率は、自然光、人工光を問わず通常１対１であり、光の偏光の存在比率が、右旋、左旋のどちらか一方に偏る環境は、通常では存在しない。このため、本発明の盗撮防止システムで使用される撮像装置２１は、光の偏光の存在比率が、右旋、左旋のどちらにも片寄らない環境下となる非撮影制限領域１６２の被写体２００に対しては、被写体２００を正常に視認、および撮影ができる。
【００４９】
なお、本実施の形態では、撮影制限領域１６１の構築の実施例として、光源１５１として白熱電灯等の人工の光源を用いた場合を説明したが、撮影制限領域１６１の構築に使用する光源は、かかる光源に限定しない。例えば、窓に特定の偏光成分のみを透過させる偏光フィルムと色調補正用カラーフィルタの取り付けの実行等により、日光や街灯の光等の屋外からの外光を撮影制限領域として定義する光源として利用してもよい。すなわち、光源から発した光が被写体に達するまでの間に、右旋偏光および左旋偏光の何れか一方の可視光を照射するように調整する偏光調整手段が設けられていればよい。
【００５０】
このように、「光の偏光の偏り」で定義された撮影制限領域１６１を、右旋、左旋の何れかの偏光の光のみを発する照明装置１５０と、かかる照明装置１５０の配置で容易に定義できるため、撮影制限領域１６１の定義が困難であるが故に映画館、劇場等の密閉型の場所でしか使えなかった従来の撮影制限信号発信方式と異なり、町の書店や、オフィス等の非密閉型の場所でも使用でき、容易に盗撮を防止できる環境を構築できる。
【００５１】
（第２の実施の形態）
次に、本発明の盗撮防止システムで使用される撮像装置の第２の実施の形態の構成について図面を使用しながら説明する。図１０は、本発明の盗撮防止システムで使用される撮像装置の第２の実施の形態であるデジタルカメラ２２の構成を示す機能ブロック図である。
【００５２】
本実施の形態のデジタルカメラ２２は、図１０に示すように、上述した第１の実施の形態と同様に、レンズ光学系１と、ＣＣＤ等の撮像素子２と、ＣＰＵ３と、画像メモリ４と、画像表示部５と、ファインダー６と、シャッターボタン７と、擬似動作音・警告音発生器８と、画像データ出力端子９と、ハーフミラー１０と、ミラー１１と、を備える。本実施の形態では、ハーフミラー１０と撮像素子２との間に、第２の偏光板１１０および第２の色調補正用フィルタ１１１が設けられている。なお、第２の偏光板１１０および第２の色調補正用フィルタ１１１の機能および動作については後述する。
【００５３】
次に、本実施の形態におけるデジタルカメラ２２の動作について図面を使用しながら説明する。まず、可視光領域で図２（ａ）、図２（ｂ）に示すような発光スペクトルを持つ可視光Ｒ１において、偏光が図２（ａ）で示す右旋偏光、或いは、図２（ｂ）で示す左旋偏光に偏った白色光を出力する照明装置１５０で照らすことで、撮像装置２２での撮像を制限する撮影制限領域を規定した際に、この撮影制限領域にある被写体２００を撮影しようとした本実施の形態のデジタルカメラ２２の動作について説明する。
【００５４】
レンズ光学系１に入射した被写体からの光Ｌ０は、レンズ光学系１と撮像素子２の間に配置されたハーフミラー１０によって、その一部が光Ｌ１としてファインダー６へと分岐し、それ以外の光Ｌ２は、ハーフミラー１０を透過し、第２の偏光板１１０、色調補正用フィルタ１１１を経て、撮像素子２に到達する。
【００５５】
第２の偏光板１１０は、赤色の可視光Ｒ１について、図１１および図１２に示すように、画像領域の中心の部分に右旋偏光だけを透過させる右旋偏光透過領域１１０ａを設け、画像領域の右旋偏光透過領域１１０ａの周辺部分に左旋偏光だけを透過させる左旋偏光透過領域１１０ｂが設けられて形成された分割された偏光領域配置パターンを備えている。なお、第２の偏光板１１０の右旋偏光透過領域１１０ａ、および左旋偏光透過領域１１０ｂの光透過特性は、図５に示した第１の実施の形態において説明した第１の偏光板１００の場合と同じとする。また、同様に、色調補正用フィルタ１１１の透過特性も、図６に示した第１の実施の形態において説明した第１の色調補正用フィルタ１０１と同じとする。
【００５６】
撮影者が本実施の形態のデジタルカメラ２２で、可視光Ｒ１の偏光が図２（ａ）に示す右旋偏光に偏った照明装置１５０で照らされた領域である撮影制限領域１６１の被写体２００を撮影した場合、撮影された画像は、図１３（ａ）に示すように、被写体２００の中心部分の領域が可視光Ｒ１成分を失って、その色調が変化する。すなわち、光は、反射の際に偏波面が反転する為、撮影制限領域１６１が、可視光Ｒ１が右旋偏光に偏った照明で照らされた領域の場合、被写体２００で反射し、デジタルカメラ２２に入射する照明光の可視光Ｒ１の偏光は左旋偏光に偏る。
【００５７】
逆に、可視光Ｒ１の偏光が図２（ｂ）に示す左旋偏光に偏った照明装置１５０で照らされた領域である撮影制限領域１６１の被写体２００を撮影した場合、撮影画像は、図１３（ｂ）に示すように、周辺部分の領域が可視光Ｒ１成分を失って、その色調が変化する。すなわち、光は、反射の際に偏波面が反転する為、撮影制限領域１６１が、可視光Ｒ１が左旋偏光に偏った照明で照らされた領域の場合、被写体２００で反射し、デジタルカメラ２２に入射する照明光の可視光Ｒ１の偏光は右旋偏光に偏る。
【００５８】
結果として、本実施の形態のデジタルカメラ２２で撮影制限領域１６１の被写体２００を撮影した場合、第２の偏光板１１０の作用で、ファインダー６を介して目視した被写体２００と、撮影した被写体２００の画像では、その色調が異なり、盗撮者の意図した画像を得ることができない。
【００５９】
なお、可視光Ｒ１について、光の偏光に偏りが存在しない領域である非撮影制限領域に存在する被写体２００を本実施の形態のデジタルカメラ２２で撮影した場合には、図１３（ｃ）に示すように、撮影した画像に色調の変化は生じない。
【００６０】
（第３の実施の形態）
次に、本発明の撮像装置における第３の実施の形態の構成について図面を使用しながら説明する。図１４は、本発明の撮像装置の第３の実施の形態であるデジタルカメラの構成を示す機能ブロック図である。
【００６１】
本実施の形態のデジタルカメラ２３は、図１４に示すように、上述した第１および第２の実施の形態と同様に、レンズ光学系１と、ＣＣＤ等の撮像素子２と、ＣＰＵ３と、画像メモリ４と、画像表示部５と、ファインダー６と、シャッターボタン７と、擬似動作音・警告音発生器８と、画像データ出力端子９と、ハーフミラー１０と、ミラー１１と、を備える。本実施の形態では、ミラー１１とファインダー６との間に、第１の偏光板１００および第１の色調補正用フィルタ１０１が設けられ、ハーフミラー１０と撮像素子２との間に、第２の偏光板１１０および第２の色調補正用フィルタ１１１が設けられている。なお、第１の偏光板１００および第１の色調補正用フィルタ１０１、第２の偏光板１１０および第２の色調補正用フィルタ１１１の機能および動作は、第１および第２の実施の形態で使用されたものと同様であるので、その説明は省略する。
【００６２】
上述したように、本実施の形態では、ミラー１１とファインダー６との間には、第１の偏光板１００および第１の色調補正用フィルタ１０１が設けられ、ハーフミラー１０と撮像素子２との間には、第２の偏光板１１０および第２の色調補正用フィルタ１１１が設けられている。このため、本実施の形態では、第１の偏光板１００と第２の偏光板１１０に異なる偏光領域配置パターンを採用することによって、撮影制限領域１６１に有する被写体２００をファインダー６で視認した画像と、撮影画像との違いを大きくすることができるので、盗撮者の盗撮意欲を削ぐ効果が増大されることが期待される。
【００６３】
（第４の実施の形態）
次に、本発明の撮像装置における第４の実施の形態の構成について図面を使用しながら説明する。図１５は、本発明の撮像装置の第４の実施の形態であるデジタルカメラの構成を示す機能ブロック図である。
【００６４】
本実施の形態のデジタルカメラ２４は、図１５に示すように、上述した第１〜第３の実施の形態と同様に、レンズ光学系１と、ＣＣＤ等の撮像素子２と、ＣＰＵ３と、画像メモリ４と、画像表示部５と、ファインダー６と、シャッターボタン７と、擬似動作音・警告音発生器８と、画像データ出力端子９と、ハーフミラー１０と、ミラー１１と、を備える。本実施の形態では、レンズ光学系１とハーフミラー１０との間に、第３の偏光板１２０および第３の色調補正用フィルタ１２１が設けられている。
【００６５】
本実施の形態で使用される第３の偏光板１２０は、第１の偏光板１００と第２の偏光板１１０の役割を兼用するものであり、第３の色調補正用フィルタ１２１は、第１の色調補正用フィルタ１０１と第２の色調補正用フィルタ１１１の役割を兼用するものである。すなわち、第４の実施の形態では、撮影制限領域１６１にある被写体２００をファインダー６で視認した画像と、撮影画像の双方の色調を、１つの偏光板１２１で変化させることができる。
【００６６】
以上、説明したように、本発明の盗撮防止システムでは、撮影制限領域１６１の定義方法は、特定の波長の可視光について、右旋、左旋の何れか一方の偏光の光のみを発する照明器具１５０を用いて、人為的に特定の領域で光の偏光が右旋、左旋の何れか一方に偏った領域を作ることを採用している。
【００６７】
このため、観察者の視線移動や瞬き、或いは物体の移動等により、観察者の眼に入力する光の色成分に偏りや欠落が生じて、物体の色調が変化して見える「カラーブレイク」と呼ばれる画像品質の劣化現象は発生しない。また、撮影制限領域１６１の被写体２００を撮影しようとした場合には、撮影者は、可視光の透過する偏光成分（右旋偏光、左旋偏光）が場所によって異なる偏光板１００、１１０、１２０を介して、被写体２００を視認するため、撮影制限領域１６１にある被写体２００の像は、偏光板１００、１１０、１２０の偏光領域の配置パターンに応じて、被写体２００の像の一部の明るさ、色調が変化する、或いは像の一部が欠落する等の品質劣化が発生し、被写体２００を正常に視認できない。このため、撮影に際しての撮影アングルの決定が難しくなり、盗撮が困難になる。
【００６８】
また、撮影制限領域１６１にある被写体２００を撮影した場合には、撮像素子２に入射する被写体２００からの光は、可視光の透過する偏光成分（右旋偏光、左旋偏光）が場所によって異なる偏光板１００、１１０、１２０を介して、撮像素子２に入射する為に、撮影制限領域１６１にある被写体２００の像は、偏光板１００、１１０、１２０の偏光領域の配置パターンに応じて、被写体２００の像の一部の明るさ、色調が変化する、或いは像の一部が欠落する等の品質劣化が発生し、正常な画像を得られない。このため、撮影制限領域１６１の被写体２００を盗撮した画像は、盗撮者の希望する画質を得られないようにすることができる。
【００６９】
また、上述した実施形態においては、光源を用いることにより、撮影制限領域を定義して被写体の撮影などを防ぐこととして説明した。しかしながら、撮影制限領域の定義の仕方は、必ずしも上述した偏光の偏った照明を用いる方法に限定するものではない。例えば、コンピュータディスプレイ等に表示され情報の盗撮を防ぐ場合には、ディスプレイに右旋又は左旋の何れかの偏光の光のみを透過させるフィルタを装着して、ディスプレイからの出力光が、右旋又は左旋の何れかの偏光の光に偏るようにして、ディスプレイの画面を撮影制限領域と定義してもよい。この場合、ディスプレイの画面からの出力光は、右旋又は左旋の何れかの偏光の光に偏るため、ディスプレイに表示されたデータの盗撮を抑制することが可能となる。同様に、右旋又は左旋の何れかの偏光の光のみを透過させるフィルタを、ショウウインドウやショウケースに装着して、ショウウインドウやショウケースの内側を撮影制限領域と定義することで、外部からショウウインドウやショウケース内の物の撮影制限が可能となる。
【００７０】
加えて、右旋、左旋いずれかの偏光の光のみを発する照明手段は、通常の照明に偏光板等の偏光調整手段を追加することにより簡単に構成できるので、盗撮防止機能を備える撮像装置の製作コストの削減ができる。また、前述した第４の盗撮対策のような撮影機能制限信号を使用しないで撮影制限領域を構築できるため、第４の盗撮対策のような撮影機能制限信号発生器を必要としないため、また、デジタルカメラ、およびデジタルカメラを搭載した端末装置に撮影機能制限信号の受信、識別用の手段を必要としないため、投資が少なくて済む。
【００７１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７２】
例えば、上述した第１から第４の実施の形態では、第１から第３の偏光板の透過領域の配置パターンは、縦方向の中心線で分割するものや中心部とその周辺部分に分割するものが挙げられているが、透過領域の配置パターンは、かかる分割におけるものに限定されない。その変形例として、図１６（ａ）のように、右旋偏光透過領域１３０ａを「撮影禁止」等の文字にして、その他の部分を左旋偏光透過領域１３０ｂにする型や、或いは図１６（ｂ）のように、右旋偏光透過領域１４０ａを撮影禁止の意を示すサインにして、その他の部分を左旋偏光透過領域１４０ｂにする型によって、偏光板１４０の透過領域の配置パターンを形成することも可能である。このように配置パターンを形成すれば、本発明の盗撮防止システムで使用される撮影装置で撮影制限領域にある被写体の撮影、或いは撮影装置のファインダーを介した視認によって得られる画像の色調変化部分である変色領域が、図１７（ａ）、或いは図１７（ｂ）に示すように、文字、或いはサインとして認識できるようになる。このように、「撮影禁止」を文字やサインで示すことにより、盗撮者に、より直接的に「撮影禁止」のニュアンスを伝えられるので、盗撮者の盗撮意欲を低減させることが期待できる。
【００７３】
また、偏光板の透過領域の配置パターンは、基本的に、本発明の撮影装置のファインダーを介して撮影制限領域にある被写体を視認、或いは撮影制限領域にある被写体を撮影した場合に、直接目視によって得られるものと色調の異なる画像が得られるのであれば、上記の各実施の形態で示したものに限定されるものではない。
【００７４】
さらに、上記各実施の形態の説明においては、撮影制限領域の設定に、１種類の可視光として、可視光Ｒ１について偏光の存在比率を変えた場合について説明したが、撮影制限領域の設定に用いる可視光の波長の種類は、これに限定されるものではない。
【００７５】
また、撮影制限領域の設定に関して、複数種類の可視光について、その偏光の存在比率を変えることで撮影制限領域を設定する場合には、撮影制限領域を設定に用いる可視光の種類と数に応じて、上述した第１から第３の偏光板の波長特性、および第１から第３の色調補正用フィルタの波長特性を変えることも可能である。
【産業上の利用可能性】
【００７６】
本発明は、デジタルカメラ等の撮像装置およびかかる撮像装置を搭載した携帯電話機等の機器に適用可能であり、特に、被写体が光の偏光の偏りで定義される撮影制限領域に有する場合に盗撮の抑止と盗撮による被害を軽減する撮像装置に適用可能である。
【図面の簡単な説明】
【００７７】
【図１】本発明の撮影装置の第１の実施の形態のデジタルカメラの構成ブロック図である。
【図２】本発明の撮影制限領域設定用の白色照明装置の可視光領域の発光スペクトルと、その偏光の偏りの度合いの関係を示す図であり、（ａ）は右旋偏光の発光スペクトルと、その偏光の偏りの度合いの関係を示し、（ｂ）は左旋偏光の発光スペクトルと、その偏光の偏りの度合いの関係を示す図である。
【図３】第１の偏光板および第１の色調補正用フィルタを介したファインダーによる被写体の視認モデルを示す図である。
【図４】画像領域の中心で可視光Ｒ１を右旋偏光だけ透過させる右旋偏光透過領域１００ａと、左旋偏光だけ透過させる左旋偏光透過領域１００ｂに分割された、第１の偏光板の赤色の可視光Ｒ１に対する偏光領域配置パターンである。
【図５】第１の偏光板の波長透過特性を示す図である。
【図６】色調補正用カラーフィルタの波長透過特性を示す図である。
【図７】（ａ）および（ｂ）は撮影制限領域の被写体の見え方を示す図であり、（ｃ）は非撮影制限領域の被写体の見え方を示す図である。
【図８】本発明の撮影制限領域定義用の照明装置の実施例の構成図である。
【図９】図８の撮影制限領域定義用の照明装置を用いた屋内での撮影制限領域の構成例を示す図である。
【図１０】本発明の撮影装置の第２の実施の形態のデジタルカメラの構成ブロック図である。
【図１１】第２の偏光板および第２の色調補正用フィルタを介した撮像素子による被写体の撮影モデルを示す図である。
【図１２】画像領域の中心部と周辺部で、可視光Ｒ１を右旋偏光だけ透過させる右旋偏光透過領域と、左旋偏光だけ透過させる左旋偏光透過領域に分割された、第２の偏光板の赤色の可視光Ｒ１に対する偏光領域配置パターンである。
【図１３】（ａ）および（ｂ）は撮影制限領域の被写体の撮影画像を示す図であり、（ｃ）は非撮影制限領域の被写体の撮影画像を示す図である。
【図１４】本発明の撮影装置の第３の実施の形態のデジタルカメラの構成ブロック図である。
【図１５】本発明の撮影装置の第４の実施の形態のデジタルカメラの構成ブロック図である。
【図１６】偏光板の偏光領域配置パターンのバリエーションパターンを示す図であり、（ａ）は「撮影禁止」の文字での偏光領域配置パターンを示す図であり、（ｂ）は「撮影禁止」のサインでの偏光領域配置パターンを示す図である。
【図１７】撮影制限領域の被写体を、図１６の偏光領域配置パターンの偏光板を備えた本発明の撮像装置で、視認、或いは撮影した際に得られる画像を示す図であり、（ａ）は変色領域が「撮影禁止」の文字となって浮かぶ画像を示す図であり、（ｂ）は変色領域が「撮影禁止」のサインとなって浮かぶ画像を示す図である。
【図１８】従来の撮影制限信号による盗撮防止機能付きのデジタルカメラの構成ブロック図である。
【図１９】従来の撮影制限信号による盗撮防止概念図である。
【図２０】従来例の人の眼から見たＲ（赤）、Ｇ（緑）、Ｂ（青）の３種類の光源の時分割点灯による擬似白色照明の実施態様を示す図である。
【図２１】従来例の撮像装置から見たＲ（赤）、Ｇ（緑）、Ｂ（青）の３種類の光源の時分割点灯による擬似白色照明の実施態様を示す図であり、（ａ）はＲ（赤）点灯時、（ｂ）はＧ（緑）点灯時、（ｃ）はＢ（青）点灯時を示す図である。
【図２２】従来例の擬似白色照明による盗撮撮防止システムの概念図である。
【図２３】従来例の擬似白色照明下での被写体の目視画像である。
【図２４】従来例の擬似白色照明下での被写体の撮影画像であり、（ａ）はＲ（赤）点灯時に撮影した画像、（ｂ）はＧ（緑）点灯時に撮影した画像、（ｃ）はＢ（青）点灯時に撮影した画像を示す。
【符号の説明】
【００７８】
１        レンズ光学系
２        撮像素子（ＣＣＤ）
６        被写体照準設定手段（ファインダー）
１０      透過光分岐手段（ハーフミラー）
２１      撮像装置（デジタルカメラ）
１００    第１の偏光板
１００ａ  右旋偏光透過領域
１００ｂ  左旋偏光透過領域
１０１    第１の色調補正用カラーフィルタ
１１０    第２の偏光板
１１１    第２の色調補正用カラーフィルタ
１２０    第３の偏光板
１２１    第３の色調補正用カラーフィルタ
１５０    照明装置
１５１    光源（白熱電球）
１５３    偏光調整手段（偏光板）
１５４    色調補正用カラーフィルタ
１６１    撮影制限領域
１６２    非撮影制限領域
２００    被写体
【図１】
2007127683.tif 000003
【図２】
2007127683.tif 000004
【図３】
2007127683.tif 000005
【図４】
2007127683.tif 000006
【図５】
2007127683.tif 000007
【図６】
2007127683.tif 000008
【図７】
2007127683.tif 000009
【図８】
2007127683.tif 000010
【図９】
2007127683.tif 000011
【図１０】
2007127683.tif 000012
【図１１】
2007127683.tif 000013
【図１２】
2007127683.tif 000014
【図１３】
2007127683.tif 000015
【図１４】
2007127683.tif 000016
【図１５】
2007127683.tif 000017
【図１６】
2007127683.tif 000018
【図１７】
2007127683.tif 000019
【図１８】
2007127683.tif 000020
【図１９】
2007127683.tif 000021
【図２０】
2007127683.tif 000022
【図２１】
2007127683.tif 000023
【図２２】
2007127683.tif 000024
【図２３】
2007127683.tif 000025
【図２４】
2007127683.tif 000026